(57)【特許請求の範囲】
【請求項１】
ＩＰアドレスが設定されてネットワークに接続され、自己診断機能によるエラーコードを数字表示する数字表示器と自己診断操作のためのスイッチを備えたプログラマブルコントローラにおいて、
前記スイッチの操作で前記設定されたＩＰアドレスを読み出して前記数字表示器に時分割で切り替え表示する表示処理手段を備えたことを特徴とするプログラマブルコントローラ。
【発明の詳細な説明】
【０００１】
【発明の属する技術分野】
本発明は、ネットワークに接続されたプログラマブルコントローラに係り、特にＩＰアドレスの確認方式に関する。
【０００２】
【従来の技術】
プログラマブルコントローラ（ＰＣ）は、例えば電力系統やプラントの監視制御システムにおける現場機器と遠方監視制御装置で結合されると共に、イーサネット（Ｅｔｈｅｒｎｅｔ）等のネットワークを介して監視室のワークステーション等に接続される。
【０００３】
ＰＣと他の装置間をネットワーク接続したシステムは、そのプロトコルとしてＴＣＰ／ＩＰやＵＤＰ／ＩＰを使用し、これらプロトコルに従った手順による伝送制御で情報授受を行う。
【０００４】
これらのプロトコルでは、ネットワークに接続される装置をノードとし、各ノードに固有のＩＰアドレスを持たせ、このＩＰアドレスにより情報の伝送元及び伝送先を定義する。
【０００５】
【発明が解決しようとする課題】
ネットワークにおけるＩＰアドレスは、確実に管理する必要があり、パソコンやワークステーションではＣＲＴ等の表示装置を持つため、自己ノードのＩＰアドレスを表示装置で表示したり設定することができる。
【０００６】
しかしながら、一般のＰＣは表示装置を持たないため、表示装置による表示や設定ができない。これに代わるものとして、ＰＣは、ノードアドレスをディジタルスイッチなどの設定器を用いているものが多い。
【０００７】
したがって、ＰＣでのＩＰアドレスは、設定器を見ることでノードアドレスを知ることができる。しかし、ＩＰアドレスは３２ビットになるため、設定器を設けることは部品点数の増加や配置場所の問題がある。例えば、設定器は、装置外部から見える位置には設けられず、内部のプリント板やシャシーに設けられるため、ＩＰアドレスの確認や設定には装置カバーを開き、プリント板を抜き出す等を必要とする。
【０００８】
他のＩＰアドレスの表示・設定方式として、設定器に代えてＰＣの処理部になるコンピュータに持つＥＰＲＯＭやＥＥＰＲＯＭ等のメモリにＩＰアドレスを書込み、このＩＰアドレスをデータとして伝送するものがある。
【０００９】
しかし、この方式では、ＰＣが設置される位置での確認ができない。また、ＰＣの故障などでＰＣ本体やイーサネットインタフェースを交換する場合、そのノードアドレスが変わってしまい、交換したＰＣのＩＰアドレスを知るためにローダなどのマンマシン装置を接続する必要がでてくる。
【００１０】
しかし、ローダがイーサネットでのみ接続可能な場合には、交換したＰＣのＩＰアドレスが分からなければローダを接続することができないため、何らかの方法でＩＰアドレスを調べるか、ＩＰアドレスを設定し直す必要がある。
【００１１】
本発明の目的は、本体側でそのＩＰアドレスを簡単に確認できるプログラマブルコントローラを提供することにある。
【００１２】
【課題を解決するための手段】
本発明は、ＰＣの自己診断機能のための数字表示器とスイッチを利用することでＩＰアドレスを数字表示器の数字表示から確認できるようにしたもので、以下の方式を特徴とする。
【００１３】
ＩＰアドレスが設定されてネットワークに接続され、自己診断機能によるエラーコードを数字表示する数字表示器と自己診断操作のためのスイッチを備えたプログラマブルコントローラにおいて、
前記スイッチの操作で前記設定されたＩＰアドレスを読み出して前記数字表示器に時分割で切り替え表示する表示処理手段を備えたことを特徴とする。
【００１４】
【発明の実施の形態】
図１は、ＰＣの装置構成図である。ＰＣは、ＣＰＵ２やメモリ２，３、ハードディスク４、ネットワークインタフェース５、テレコントローラとのインタフェース６等のバス接続でコンピュータ構成される。
【００１５】
さらに、ＰＣは、自己診断機能のための数字表示器７とスイッチ８との間のディジタル入出力回路９、１０と、ＩＰアドレス設定器１１からのディジタル入力回路１２を設けている。数字表示器７及びスイッチ８は、ＰＣの外板部に設けられ、外部からの視認及び操作ができるようにされる。ＩＰアドレス設定器１１は、従来と同様に内部のプリント板等に設けられる。
【００１６】
この構成において、自己診断機能は、ハードディスク４等に保存されるプログラムに従って自己診断を実行し、この自己診断で検出したエラーコードを数字表示器７に表示し、そのエラーコードを順番に表示させたり、復帰済みのエラーコードを数字表示器７から消去するのにスイッチ８を操作する。
【００１７】
本実施形態では、これら数字表示器７とスイッチ８を入出力手段として利用することにより、ＩＰアドレスを外部から簡単に確認できるようにする。
【００１８】
このためのＩＰアドレス確認プログラムは、ハードディスク４等に保存され、スイッチ８の操作で設定器１１に設定されるＩＰアドレスを読み出し、数字表示器７に表示するためのソフトウェア構成にされる。
【００１９】
ここで、数字表示器７は、通常には発生したエラーコードを表示するため、このエラーコード表示とＩＰアドレス表示の切り替えとして、スイッチ８が一定時間以上押し続けられたときにＩＰアドレスを表示するようにする。
【００２０】
数字表示器７は、２個の７セグメントの数字表示器で構成され、「００」〜「ＦＦ」まで表示可能とする。ＩＰアドレスは３２ビットであるが、通常８ビットずつ４つに分けてそれぞれ０〜２５６の１０進数で表示する。例えば、ＩＰアドレスは、「１２８．６４．２５５．１」のように４つの１０進数で表現する。
【００２１】
この数字表示器７が３桁分あれば、ＩＰアドレスは４つの１０進数を４回に分けて表示可能であるが、図示の場合には数字表示器７が２桁のため、１６進表示によりＩＰアドレスを表示する。
【００２２】
ＩＰアドレス「１２８．６４．２５５．１」の例では、１６進表示「８０．４０．ＦＦ．０１」となる。この１６進表示になるＩＰアドレスをスイッチ８が押されている間に時分割で順次切り替えて表示する。
【００２３】
図２は、ＩＰアドレスの表示タイムチャートを示し、スイッチ８が一定時間Ｔ以上続けて押されたときに、ＩＰアドレス表示に切り替わり、１６進表示で間にブランク期間を持たせて先頭から順次表示する。また、１回のＩＰアドレス表示が終了するも、スイッチ８が押されたままであると長いブランク期間ｎＴを経て再びＩＰアドレスの先頭から順に表示切り替えを行う。なお、スイッチ８を戻すとエラーコード表示に戻す。
【００２４】
なお、実施形態において、数字表示器が１桁構成の場合にはＩＰアドレスを４ビットずつ８回に分けて時分割表示することができる。また、ＩＰアドレスは、設定器１１による設定に限らず、ＥＰＲＯＭ等のメモリに書込む方式に適用してＩＰアドレスの確認ができる。
【００２５】
【発明の効果】
以上のとおり、本発明によれば、ＰＣの自己診断機能のための数字表示器とスイッチを利用することでＩＰアドレスを数字表示器の数字表示から確認できるようにしたため、ＰＣ本体側がＣＲＴ等の表示装置を持たない場合にも簡単なスイッチ操作で数字表示器の表示から簡単に確認できる効果がある。
【図面の簡単な説明】
【図１】本発明の実施形態を示す装置構成図。
【図２】実施形態におけるＩＰアドレス表示タイムチャート。
【符号の説明】
ＰＣ…プログラマブルコントローラ
７…自己診断用数字表示器
８…自己診断用スイッチ
１１…ＩＰアドレス設定器
【図１】
0003613933.tif 000002
【図２】
0003613933.tif 000003